(57)【要約】【課題】本発明は容量拡大パッケージを開示した。【解決手段】主体を含み、前記主体の上側には容量拡大ブロックが設置され、前記容量拡大ブロックの上側には容量拡大板が設置され、前記主体と前記容量拡大ブロックとの間には第一容量拡大装置が設置され、前記容量拡大ブロックと前記容量拡大板との間には第二容量拡大装置が設置され、前記容量拡大ブロックの中には制御装置が設置され、前記第一容量拡大装置は前記主体の中に設置される保存チャンバを含む；本装置を通じて物を保存するとき、二種類の方式で容量を拡大でき、また二つの方式がいずれも容量拡大の高さを調整でき、容量を大幅に拡大するだけではなく、調整性が強く、より多くの使用ニーズを満たすことができる。【選択図】図１
2020152439.tif 000002
【特許請求の範囲】
【請求項１】
主体を含み、前記主体の上側には容量拡大ブロックが設置され、前記容量拡大ブロックの上側には容量拡大板が設置され、前記主体と前記容量拡大ブロックとの間には第一容量拡大装置が設置され、前記容量拡大ブロックと前記容量拡大板との間には第二容量拡大装置が設置され、前記容量拡大ブロックの中には制御装置が設置され、前記第一容量拡大装置は前記主体の中に設置される保存チャンバを含み、前記容量拡大ブロックの下端面の前後左右の四つの端には前記保存チャンバの中まで伸びている昇降板が固定的に設置され、隣接の前記保存チャンバの間が固定的に連結され、前記保存チャンバの左右両側内壁の中には引掛り溝が対称的に設置され、前記昇降板の下端には第一引掛りブロックが設置され、前記第一引掛りブロックにより前記昇降板に定位を行い、、前記第一容量拡大装置の容量拡大の高さを制御し、前記第二容量拡大装置は前記容量拡大ブロックの中の前後左右の四つの端に設置され、かつ上方に開口した反転チャンバを含み、前記容量拡大板の下端には固定板が前記反転チャンバに対応し設置され、前記固定板のうち中心から離れている一端と前記反転チャンバの内壁との間には遮り布が固定的に連結される；二つの方式で容量を拡大し、どの方式で容量を拡大するか、どれくらいの高さを拡大するかをカスタマイズで選択できることを特徴とする容量拡大パッケージ。
【請求項２】
前記第一容量拡大装置は前記主体と前記容量拡大ブロックを含み、前記保存チャンバの左右両側内壁の中にはガイドスライドチャンバが対称的に連通設置され、前記引掛り溝が前記ガイドスライドチャンバのうち中心から離れている側の内壁に連通設置され、また前記引掛り溝が五つあり、かつ上下に陳列で分布され、左右両側に位置する前記昇降板の下端には中心から離れている方向に開口した引掛りブロックチャンバが設置され、前記引掛りブロックチャンバの中には回転盤が回転できるように設置され、前記回転盤の下端には固定バーが固定的に連結され、前記第一引掛りブロックが前記固定バーの下端にヒンジにより連結され、前記引掛りブロックチャンバの前後内壁には平行移動チャンバが対称的に連通設置され、前記第一引掛りブロックの前後両端が前記平行移動チャンバの中まで伸びており、かつ前記平行移動チャンバの中で水平に移動でき、前記回転盤の前後両端と前記引掛りブロックチャンバの内壁との間にはトーションばねが連結され、前記回転盤の上端には凹溝が設置され、前記引掛りブロックチャンバの上壁にはプッシュブロックチャンバが連通設置され、前記プッシュブロックチャンバの中には下端が前記凹溝の中まで伸びているプッシュバーがスライドできるように設置され、前記容量拡大ブロックの下端面と前記昇降板のうち中心から離れている側の端面との間には前記主体の外端面とスライドできるように連結される遮り板が固定的に設置され、隣接の前記遮り板の間が固定的に連結される；前記第一引掛りブロックが必要となる高さの前記引掛り溝の中に引掛り、容量拡大の高さを制御することを特徴とする請求項１に記載の容量拡大パッケージ。
【請求項３】
前記第二容量拡大装置は前記容量拡大板を含み、前記固定板が長方形で前記容量拡大ブロックの中まで伸びており、左右両側の前記反転チャンバの中の下側には下端が歯状である回転バーが前後に対称的に、かつ反転できるように設置され、前記回転バーの下端が互いに近接し、かつ前記反転チャンバの左右両側内壁に回転できるように連結され、前記固定板の中には第一滑りチャンバが設置され、前記第一滑りチャンバの下側には下方に開口した開口溝が連通設置され、前記第一滑りチャンバの中には第一滑りブロックが前後に対称的に、かつスライドできるように設置され、前記第一滑りブロックの下端には連結棒が固定的に連結され、前記連結棒の下端が前記反転チャンバの中まで伸びており、かつ前記回転バーの上端にヒンジにより連結され、前記容量拡大ブロックの中には保管チャンバが上下に貫通し設置され、前記容量拡大板の中には入り口が上下に貫通し設置され、前記入り口の四つの壁には左方に開口したスライド板チャンバが連通し設置され、前記入り口の中には前記スライド板チャンバの中まで伸びている密封板がスライドできるように設置され、前記密封板の左端が外界まで伸びており、前記密封板の左端にはプッシュプル板が固定的に連結される；前記固定板を回転させ角度の定位を行い、前記容量拡大板を一定な高さに位置付けて容量拡大を行うことを特徴とする請求項１に記載の容量拡大パッケージ。
【請求項４】
前記制御装置は前記容量拡大ブロックの中に対称的に設置され、かつ開口が中心から離れている伸縮チャンバを含み、前記伸縮チャンバの中には昇降ブロックがスライドできるように設置され、前記昇降ブロックの下端と前記伸縮チャンバの下壁との間には戻しばねが固定的に連結され、前記昇降ブロックの中には開口が中心から離れている第二滑りチャンバが設置され、前記第二滑りチャンバの中には第二滑りブロックがスライドできるように設置され、前記第二滑りブロックの一端が前記伸縮チャンバの中まで伸びており、前記第二滑りブロックの一端には制御ブロックが固定的に連結され、前記第二滑りチャンバの上下両側にはリミット溝が対称的に連通設置され、前記第二滑りブロックの上下両端には前記リミット溝の中まで伸びているリミットブロックが対称的で固定的に設置され、前記昇降ブロックの上端には上端が歯状である第二引掛りブロックが固定的に設置され、前記第二引掛りブロックの上端が前記反転チャンバの中まで伸びており、かつ前記回転バーの下端と当接し、前記プッシュバーの上端が前記昇降ブロックに固定的に連結される；前記制御ブロックを前記伸縮チャンバから送り出して下へ押すことにより調整作業を行うことができ、前記制御ブロックを前記伸縮チャンバに回収することにより固定を行うことを特徴とする請求項１に記載の容量拡大パッケージ。
【発明の詳細な説明】
【技術分野】
【０００１】
本発明は雑貨用品技術分野を取り上げて、具体的には容量拡大パッケージである。
【背景技術】
【０００２】
パッケージは、日常生活によく使われるが、異なるお客さんのニーズに対し異なる物と異なる数の物を包装することは、異なるパッケージを使用し包装する必要があり、容量を変える必要があり、既存のパッケージはスペースが固定されることが多いが、一部の容量拡大パッケージは一部分の容量だけを拡大し、効果が著しくなく、従って、容量拡大パッケージが必要となり、本装置は拡大されたスペースが大きいだけではなく、拡大された高さをカスタマイズで制御できる。
【先行技術文献】
【特許文献】
【０００３】
【特許文献１】中国特許出願公開第１０８２１６８２５号明細書
【発明の概要】
【発明が解決しようとする課題】
【０００４】
本発明の目的は容量拡大パッケージを提供し、それは上記の現在の技術中の問題を解決できる。
【課題を解決するための手段】
【０００５】
本発明の容量拡大パッケージは、主体を含み、前記主体の上側には容量拡大ブロックが設置され、前記容量拡大ブロックの上側には容量拡大板が設置され、前記主体と前記容量拡大ブロックとの間には第一容量拡大装置が設置され、前記容量拡大ブロックと前記容量拡大板との間には第二容量拡大装置が設置され、前記容量拡大ブロックの中には制御装置が設置され、前記第一容量拡大装置は前記主体の中に設置される保存チャンバを含み、前記容量拡大ブロックの下端面の前後左右の四つの端には前記保存チャンバの中まで伸びている昇降板が固定的に設置され、隣接の前記保存チャンバの間が固定的に連結され、前記保存チャンバの左右両側内壁の中には引掛り溝が対称的に設置され、前記昇降板の下端には第一引掛りブロックが設置され、前記第一引掛りブロックにより前記昇降板に定位を行い、、前記第一容量拡大装置の容量拡大の高さを制御し、前記第二容量拡大装置は前記容量拡大ブロックの中の前後左右の四つの端に設置され、かつ上方に開口した反転チャンバを含み、前記容量拡大板の下端には固定板が前記反転チャンバに対応し設置され、前記固定板のうち中心から離れている一端と前記反転チャンバの内壁との間には遮り布が固定的に連結される；二つの方式で容量を拡大し、どの方式で容量を拡大するか、どれくらいの高さを拡大するかをカスタマイズで選択できる。
【０００６】
好ましくは、前記第一容量拡大装置は前記主体と前記容量拡大ブロックを含み、前記保存チャンバの左右両側内壁の中にはガイドスライドチャンバが対称的に連通設置され、前記引掛り溝が前記ガイドスライドチャンバのうち中心から離れている側の内壁に連通設置され、また前記引掛り溝が五つあり、かつ上下に陳列で分布され、左右両側に位置する前記昇降板の下端には中心から離れている方向に開口した引掛りブロックチャンバが設置され、前記引掛りブロックチャンバの中には回転盤が回転できるように設置され、前記回転盤の下端には固定バーが固定的に連結され、前記第一引掛りブロックが前記固定バーの下端にヒンジにより連結され、前記引掛りブロックチャンバの前後内壁には平行移動チャンバが対称的に連通設置され、前記第一引掛りブロックの前後両端が前記平行移動チャンバの中まで伸びており、かつ前記平行移動チャンバの中で水平に移動でき、前記回転盤の前後両端と前記引掛りブロックチャンバの内壁との間にはトーションばねが連結され、前記回転盤の上端には凹溝が設置され、前記引掛りブロックチャンバの上壁にはプッシュブロックチャンバが連通設置され、前記プッシュブロックチャンバの中には下端が前記凹溝の中まで伸びているプッシュバーがスライドできるように設置され、前記容量拡大ブロックの下端面と前記昇降板のうち中心から離れている側の端面との間には前記主体の外端面とスライドできるように連結される遮り板が固定的に設置され、隣接の前記遮り板の間が固定的に連結される；前記第一引掛りブロックが必要となる高さの前記引掛り溝の中に引掛り、容量拡大の高さを制御する。
【０００７】
好ましくは、前記第二容量拡大装置は前記容量拡大板を含み、前記固定板が長方形で前記容量拡大ブロックの中まで伸びており、左右両側の前記反転チャンバの中の下側には下端が歯状である回転バーが前後に対称的に、かつ反転できるように設置され、前記回転バーの下端が互いに近接し、かつ前記反転チャンバの左右両側内壁に回転できるように連結され、前記固定板の中には第一滑りチャンバが設置され、前記第一滑りチャンバの下側には下方に開口した開口溝が連通設置され、前記第一滑りチャンバの中には第一滑りブロックが前後に対称的に、かつスライドできるように設置され、前記第一滑りブロックの下端には連結棒が固定的に連結され、前記連結棒の下端が前記反転チャンバの中まで伸びており、かつ前記回転バーの上端にヒンジにより連結され、前記容量拡大ブロックの中には保管チャンバが上下に貫通し設置され、前記容量拡大板の中には入り口が上下に貫通し設置され、前記入り口の四つの壁には左方に開口したスライド板チャンバが連通し設置され、前記入り口の中には前記スライド板チャンバの中まで伸びている密封板がスライドできるように設置され、前記密封板の左端が外界まで伸びており、前記密封板の左端にはプッシュプル板が固定的に連結される；前記固定板を回転させ角度の定位を行い、前記容量拡大板を一定な高さに位置付けて容量拡大を行う。
【０００８】
好ましくは、前記制御装置は前記容量拡大ブロックの中に対称的に設置され、かつ開口が中心から離れている伸縮チャンバを含み、前記伸縮チャンバの中には昇降ブロックがスライドできるように設置され、前記昇降ブロックの下端と前記伸縮チャンバの下壁との間には戻しばねが固定的に連結され、前記昇降ブロックの中には開口が中心から離れている第二滑りチャンバが設置され、前記第二滑りチャンバの中には第二滑りブロックがスライドできるように設置され、前記第二滑りブロックの一端が前記伸縮チャンバの中まで伸びており、前記第二滑りブロックの一端には制御ブロックが固定的に連結され、前記第二滑りチャンバの上下両側にはリミット溝が対称的に連通設置され、前記第二滑りブロックの上下両端には前記リミット溝の中まで伸びているリミットブロックが対称的で固定的に設置され、前記昇降ブロックの上端には上端が歯状である第二引掛りブロックが固定的に設置され、前記第二引掛りブロックの上端が前記反転チャンバの中まで伸びており、かつ前記回転バーの下端と当接し、前記プッシュバーの上端が前記昇降ブロックに固定的に連結される；前記制御ブロックを前記伸縮チャンバから送り出して下へ押すことにより調整作業を行うことができ、前記制御ブロックを前記伸縮チャンバに回収することにより固定を行う。
【発明の効果】
【０００９】
本発明の有益的な効果は：本発明は構造が簡単で、操作が便利であり、本装置を通じて物を保存するとき、二種類の方式で容量を拡大でき、また二つの方式がいずれも容量拡大の高さを調整でき、容量を大幅に拡大するだけではなく、調整性が強く、より多くの使用ニーズを満たすことができる。
【図面の簡単な説明】
【００１０】
【図１】図１は本発明の容量拡大パッケージの内部全体構成略図である；
【図２】図２は図１のＡの拡大構成略図である；
【図３】図３は図２のＢ−Ｂ方向の構成略図である；
【図４】図４は図１のＣの拡大構成略図である。
【発明を実施するための形態】
【００１１】
下記に図１−４をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−４に示すように、本発明の容量拡大パッケージは、主体１１を含み、前記主体１１の上側には容量拡大ブロック１２が設置され、前記容量拡大ブロック１２の上側には容量拡大板１３が設置され、前記主体１１と前記容量拡大ブロック１２との間には第一容量拡大装置１０１が設置され、前記容量拡大ブロック１２と前記容量拡大板１３との間には第二容量拡大装置１０２が設置され、前記容量拡大ブロック１２の中には制御装置１０３が設置され、前記第一容量拡大装置１０１は前記主体１１の中に設置される保存チャンバ１４を含み、前記容量拡大ブロック１２の下端面の前後左右の四つの端には前記保存チャンバ１４の中まで伸びている昇降板１５が固定的に設置され、隣接の前記保存チャンバ１４の間が固定的に連結され、前記保存チャンバ１４の左右両側内壁の中には引掛り溝１６が対称的に設置され、前記昇降板１５の下端には第一引掛りブロック１７が設置され、前記第一引掛りブロック１７により前記昇降板１５に定位を行い、、前記第一容量拡大装置１０１の容量拡大の高さを制御し、前記第二容量拡大装置１０２は前記容量拡大ブロック１２の中の前後左右の四つの端に設置され、かつ上方に開口した反転チャンバ１８を含み、前記容量拡大板１３の下端には固定板１９が前記反転チャンバ１８に対応し設置され、前記固定板１９のうち中心から離れている一端と前記反転チャンバ１８の内壁との間には遮り布２０が固定的に連結される；二つの方式で容量を拡大し、どの方式で容量を拡大するか、どれくらいの高さを拡大するかをカスタマイズで選択できる。
【００１３】
有益的には、前記第一容量拡大装置１０１は前記主体１１と前記容量拡大ブロック１２を含み、前記保存チャンバ１４の左右両側内壁の中にはガイドスライドチャンバ２１が対称的に連通設置され、前記引掛り溝１６が前記ガイドスライドチャンバ２１のうち中心から離れている側の内壁に連通設置され、また前記引掛り溝１６が五つあり、かつ上下に陳列で分布され、左右両側に位置する前記昇降板１５の下端には中心から離れている方向に開口した引掛りブロックチャンバ２２が設置され、前記引掛りブロックチャンバ２２の中には回転盤２３が回転できるように設置され、前記回転盤２３の下端には固定バー２４が固定的に連結され、前記第一引掛りブロック１７が前記固定バー２４の下端にヒンジにより連結され、前記引掛りブロックチャンバ２２の前後内壁には平行移動チャンバ２６が対称的に連通設置され、前記第一引掛りブロック１７の前後両端が前記平行移動チャンバ２６の中まで伸びており、かつ前記平行移動チャンバ２６の中で水平に移動でき、前記回転盤２３の前後両端と前記引掛りブロックチャンバ２２の内壁との間にはトーションばね３０が連結され、前記回転盤２３の上端には凹溝２７が設置され、前記引掛りブロックチャンバ２２の上壁にはプッシュブロックチャンバ２８が連通設置され、前記プッシュブロックチャンバ２８の中には下端が前記凹溝２７の中まで伸びているプッシュバー２９がスライドできるように設置され、前記容量拡大ブロック１２の下端面と前記昇降板１５のうち中心から離れている側の端面との間には前記主体１１の外端面とスライドできるように連結される遮り板３１が固定的に設置され、隣接の前記遮り板３１の間が固定的に連結される；前記第一引掛りブロック１７が必要となる高さの前記引掛り溝１６の中に引掛り、容量拡大の高さを制御する。
【００１４】
有益的には、前記第二容量拡大装置１０２は前記容量拡大板１３を含み、前記固定板１９が長方形で前記容量拡大ブロック１２の中まで伸びており、左右両側の前記反転チャンバ１８の中の下側には下端が歯状である回転バー３２が前後に対称的に、かつ反転できるように設置され、前記回転バー３２の下端が互いに近接し、かつ前記反転チャンバ１８の左右両側内壁に回転できるように連結され、前記固定板１９の中には第一滑りチャンバ３３が設置され、前記第一滑りチャンバ３３の下側には下方に開口した開口溝３４が連通設置され、前記第一滑りチャンバ３３の中には第一滑りブロック３５が前後に対称的に、かつスライドできるように設置され、前記第一滑りブロック３５の下端には連結棒３６が固定的に連結され、前記連結棒３６の下端が前記反転チャンバ１８の中まで伸びており、かつ前記回転バー３２の上端にヒンジにより連結され、前記容量拡大ブロック１２の中には保管チャンバ４５が上下に貫通し設置され、前記容量拡大板１３の中には入り口４６が上下に貫通し設置され、前記入り口４６の四つの壁には左方に開口したスライド板チャンバ４７が連通し設置され、前記入り口４６の中には前記スライド板チャンバ４７の中まで伸びている密封板４８がスライドできるように設置され、前記密封板４８の左端が外界まで伸びており、前記密封板４８の左端にはプッシュプル板４９が固定的に連結される；前記固定板１９を回転させ角度の定位を行い、前記容量拡大板１３を一定な高さに位置付けて容量拡大を行う。
【００１５】
有益的には、前記制御装置１０３は前記容量拡大ブロック１２の中に対称的に設置され、かつ開口が中心から離れている伸縮チャンバ３７を含み、前記伸縮チャンバ３７の中には昇降ブロック３８がスライドできるように設置され、前記昇降ブロック３８の下端と前記伸縮チャンバ３７の下壁との間には戻しばね５０が固定的に連結され、前記昇降ブロック３８の中には開口が中心から離れている第二滑りチャンバ３９が設置され、前記第二滑りチャンバ３９の中には第二滑りブロック４０がスライドできるように設置され、前記第二滑りブロック４０の一端が前記伸縮チャンバ３７の中まで伸びており、前記第二滑りブロック４０の一端には制御ブロック４１が固定的に連結され、前記第二滑りチャンバ３９の上下両側にはリミット溝４２が対称的に連通設置され、前記第二滑りブロック４０の上下両端には前記リミット溝４２の中まで伸びているリミットブロック４３が対称的で固定的に設置され、前記昇降ブロック３８の上端には上端が歯状である第二引掛りブロック４４が固定的に設置され、前記第二引掛りブロック４４の上端が前記反転チャンバ１８の中まで伸びており、かつ前記回転バー３２の下端と当接し、前記プッシュバー２９の上端が前記昇降ブロック３８に固定的に連結される；前記制御ブロック４１を前記伸縮チャンバ３７から送り出して下へ押すことにより調整作業を行うことができ、前記制御ブロック４１を前記伸縮チャンバ３７に回収することにより固定を行う。
【００１６】
初期状態に、容量拡大ブロック１２と容量拡大板１３とが下限界位置にあり、制御ブロック４１が伸縮チャンバ３７の中に位置する。
【００１７】
包装するとき、第一容量拡大装置１０１を使用するとき、制御ブロック４１を外界まで移し、かつ下限界位置まで押し、第二滑りブロック４０と昇降ブロック３８を連動し降りさせ、またプッシュバー２９と第二引掛りブロック４４とを連動し降りさせ、このときにプッシュバー２９の下端が回転盤２３をプッシュし回転させ、固定バー２４により第一引掛りブロック１７を連動し内部に移動させ、また引掛り溝１６から送り出し、このときに容量拡大ブロック１２を上に所望の高さまで持ち上げ、制御ブロック４１を放し、このときに第一引掛りブロック１７が対応の高さにある引掛り溝１６の中まで伸びて引掛られる；第二容量拡大装置１０２を使用するとき、制御ブロック４１を送り出した後、一定の距離に軽く押し、第二引掛りブロック４４を連動し下に移動させ、このときに第二引掛りブロック４４が回転バー３２から離脱され、このときに容量拡大板１３を上に引き固定板１９を上昇連動させ、第一滑りブロック３５と連結棒３６により回転バー３２を連動し上に反転させ、第一滑りブロック３５が内部にスライドし、かつ互いに近づき、遮り布２０がこの間に広げられて周りを密封し、容量拡大板１３が必要な高さまで上昇するとき、制御ブロック４１を緩め、第二引掛りブロック４４がリセットし回転バー３２の下端が引掛り、その回転を防止し、制御ブロック４１を伸縮チャンバ３７の中まで戻らせ、プッシュプル板４９を引き、密封板４８を開けるとものを保存できる。
【００１８】
本発明の有益的な効果は：本発明は構造が簡単で、操作が便利であり、本装置を通じて物を保存するとき、二種類の方式で容量を拡大でき、また二つの方式がいずれも容量拡大の高さを調整でき、容量を大幅に拡大するだけではなく、調整性が強く、より多くの使用ニーズを満たすことができる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020152439.tif 000003
【図２】
2020152439.tif 000004
【図３】
2020152439.tif 000005
【図４】
2020152439.tif 000006
【手続補正書】
【提出日】令和1年7月26日(2019.7.26)
【手続補正１】
【補正対象書類名】特許請求の範囲
【補正対象項目名】請求項１
【補正方法】変更
【補正の内容】
【請求項１】
主体を含み、前記主体の上側には容量拡大ブロックが設置され、前記容量拡大ブロックの上側には容量拡大板が設置され、前記主体と前記容量拡大ブロックとの間には第一容量拡大装置が設置され、前記容量拡大ブロックと前記容量拡大板との間には第二容量拡大装置が設置され、前記容量拡大ブロックの中には制御装置が設置され、前記第一容量拡大装置は前記主体の中に設置される保存チャンバを含み、前記容量拡大ブロックの下端面の前後左右の四つの端には前記保存チャンバの中まで伸びている昇降板が固定的に設置され、隣接の前記保存チャンバの間が固定的に連結され、前記保存チャンバの左右両側内壁の中には引掛り溝が対称的に設置され、前記昇降板の下端には第一引掛りブロックが設置され、前記第一引掛りブロックにより前記昇降板に定位を行い、、前記第一容量拡大装置の容量拡大の高さを制御し、前記第二容量拡大装置は前記容量拡大ブロックの中の前後左右の四つの端に設置され、かつ上方に開口した反転チャンバを含み、前記容量拡大板の下端には固定板が前記反転チャンバに対応し設置され、前記固定板のうち中心から離れている一端と前記反転チャンバの内壁との間には遮り布が固定的に連結されることを特徴とする容量拡大パッケージ。
【手続補正２】
【補正対象書類名】明細書
【補正対象項目名】全文
【補正方法】変更
【補正の内容】
【発明の詳細な説明】
【技術分野】
【０００１】
本発明は雑貨用品技術分野を取り上げて、具体的には容量拡大パッケージである。
【背景技術】
【０００２】
パッケージは、日常生活によく使われるが、異なるお客さんのニーズに対し異なる物と異なる数の物を包装することは、異なるパッケージを使用し包装する必要があり、容量を変える必要があり、既存のパッケージはスペースが固定されることが多いが、一部の容量拡大パッケージは一部分の容量だけを拡大し、効果が著しくなく、従って、容量拡大パッケージが必要となり、本装置は拡大されたスペースが大きいだけではなく、拡大された高さをカスタマイズで制御できる。
【先行技術文献】
【特許文献】
【０００３】
【特許文献１】中国特許出願公開第１０８２１６８２５号明細書
【発明の概要】
【発明が解決しようとする課題】
【０００４】
本発明の目的は容量拡大パッケージを提供し、それは上記の現在の技術中の問題を解決できる。
【課題を解決するための手段】
【０００５】
本発明の容量拡大パッケージは、主体を含み、前記主体の上側には容量拡大ブロックが設置され、前記容量拡大ブロックの上側には容量拡大板が設置され、前記主体と前記容量拡大ブロックとの間には第一容量拡大装置が設置され、前記容量拡大ブロックと前記容量拡大板との間には第二容量拡大装置が設置され、前記容量拡大ブロックの中には制御装置が設置され、前記第一容量拡大装置は前記主体の中に設置される保存チャンバを含み、前記容量拡大ブロックの下端面の前後左右の四つの端には前記保存チャンバの中まで伸びている昇降板が固定的に設置され、隣接の前記保存チャンバの間が固定的に連結され、前記保存チャンバの左右両側内壁の中には引掛り溝が対称的に設置され、前記昇降板の下端には第一引掛りブロックが設置され、前記第一引掛りブロックにより前記昇降板に定位を行い、、前記第一容量拡大装置の容量拡大の高さを制御し、前記第二容量拡大装置は前記容量拡大ブロックの中の前後左右の四つの端に設置され、かつ上方に開口した反転チャンバを含み、前記容量拡大板の下端には固定板が前記反転チャンバに対応し設置され、前記固定板のうち中心から離れている一端と前記反転チャンバの内壁との間には遮り布が固定的に連結される。
【０００６】
好ましくは、前記第一容量拡大装置は前記主体と前記容量拡大ブロックを含み、前記保存チャンバの左右両側内壁の中にはガイドスライドチャンバが対称的に連通設置され、前記引掛り溝が前記ガイドスライドチャンバのうち中心から離れている側の内壁に連通設置され、また前記引掛り溝が五つあり、かつ上下に陳列で分布され、左右両側に位置する前記昇降板の下端には中心から離れている方向に開口した引掛りブロックチャンバが設置され、前記引掛りブロックチャンバの中には回転盤が回転できるように設置され、前記回転盤の下端には固定バーが固定的に連結され、前記第一引掛りブロックが前記固定バーの下端にヒンジにより連結され、前記引掛りブロックチャンバの前後内壁には平行移動チャンバが対称的に連通設置され、前記第一引掛りブロックの前後両端が前記平行移動チャンバの中まで伸びており、かつ前記平行移動チャンバの中で水平に移動でき、前記回転盤の前後両端と前記引掛りブロックチャンバの内壁との間にはトーションばねが連結され、前記回転盤の上端には凹溝が設置され、前記引掛りブロックチャンバの上壁にはプッシュブロックチャンバが連通設置され、前記プッシュブロックチャンバの中には下端が前記凹溝の中まで伸びているプッシュバーがスライドできるように設置され、前記容量拡大ブロックの下端面と前記昇降板のうち中心から離れている側の端面との間には前記主体の外端面とスライドできるように連結される遮り板が固定的に設置され、隣接の前記遮り板の間が固定的に連結される；前記第一引掛りブロックが必要となる高さの前記引掛り溝の中に引掛り、容量拡大の高さを制御する。
【０００７】
好ましくは、前記第二容量拡大装置は前記容量拡大板を含み、前記固定板が長方形で前記容量拡大ブロックの中まで伸びており、左右両側の前記反転チャンバの中の下側には下端が歯状である回転バーが前後に対称的に、かつ反転できるように設置され、前記回転バーの下端が互いに近接し、かつ前記反転チャンバの左右両側内壁に回転できるように連結され、前記固定板の中には第一滑りチャンバが設置され、前記第一滑りチャンバの下側には下方に開口した開口溝が連通設置され、前記第一滑りチャンバの中には第一滑りブロックが前後に対称的に、かつスライドできるように設置され、前記第一滑りブロックの下端には連結棒が固定的に連結され、前記連結棒の下端が前記反転チャンバの中まで伸びており、かつ前記回転バーの上端にヒンジにより連結され、前記容量拡大ブロックの中には保管チャンバが上下に貫通し設置され、前記容量拡大板の中には入り口が上下に貫通し設置され、前記入り口の四つの壁には左方に開口したスライド板チャンバが連通し設置され、前記入り口の中には前記スライド板チャンバの中まで伸びている密封板がスライドできるように設置され、前記密封板の左端が外界まで伸びており、前記密封板の左端にはプッシュプル板が固定的に連結される；前記固定板を回転させ角度の定位を行い、前記容量拡大板を一定な高さに位置付けて容量拡大を行う。
【０００８】
好ましくは、前記制御装置は前記容量拡大ブロックの中に対称的に設置され、かつ開口が中心から離れている伸縮チャンバを含み、前記伸縮チャンバの中には昇降ブロックがスライドできるように設置され、前記昇降ブロックの下端と前記伸縮チャンバの下壁との間には戻しばねが固定的に連結され、前記昇降ブロックの中には開口が中心から離れている第二滑りチャンバが設置され、前記第二滑りチャンバの中には第二滑りブロックがスライドできるように設置され、前記第二滑りブロックの一端が前記伸縮チャンバの中まで伸びており、前記第二滑りブロックの一端には制御ブロックが固定的に連結され、前記第二滑りチャンバの上下両側にはリミット溝が対称的に連通設置され、前記第二滑りブロックの上下両端には前記リミット溝の中まで伸びているリミットブロックが対称的で固定的に設置され、前記昇降ブロックの上端には上端が歯状である第二引掛りブロックが固定的に設置され、前記第二引掛りブロックの上端が前記反転チャンバの中まで伸びており、かつ前記回転バーの下端と当接し、前記プッシュバーの上端が前記昇降ブロックに固定的に連結される；前記制御ブロックを前記伸縮チャンバから送り出して下へ押すことにより調整作業を行うことができ、前記制御ブロックを前記伸縮チャンバに回収することにより固定を行う。
【発明の効果】
【０００９】
本発明の有益的な効果は：本発明は構造が簡単で、操作が便利であり、本装置を通じて物を保存するとき、二種類の方式で容量を拡大でき、また二つの方式がいずれも容量拡大の高さを調整でき、容量を大幅に拡大するだけではなく、調整性が強く、より多くの使用ニーズを満たすことができる。
【図面の簡単な説明】
【００１０】
【図１】図１は本発明の容量拡大パッケージの内部全体構成略図である；
【図２】図２は図１のＡの拡大構成略図である；
【図３】図３は図２のＢ−Ｂ方向の構成略図である；
【図４】図４は図１のＣの拡大構成略図である。
【発明を実施するための形態】
【００１１】
下記に図１−４をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−４に示すように、本発明の容量拡大パッケージは、主体１１を含み、前記主体１１の上側には容量拡大ブロック１２が設置され、前記容量拡大ブロック１２の上側には容量拡大板１３が設置され、前記主体１１と前記容量拡大ブロック１２との間には第一容量拡大装置１０１が設置され、前記容量拡大ブロック１２と前記容量拡大板１３との間には第二容量拡大装置１０２が設置され、前記容量拡大ブロック１２の中には制御装置１０３が設置され、前記第一容量拡大装置１０１は前記主体１１の中に設置される保存チャンバ１４を含み、前記容量拡大ブロック１２の下端面の前後左右の四つの端には前記保存チャンバ１４の中まで伸びている昇降板１５が固定的に設置され、隣接の前記保存チャンバ１４の間が固定的に連結され、前記保存チャンバ１４の左右両側内壁の中には引掛り溝１６が対称的に設置され、前記昇降板１５の下端には第一引掛りブロック１７が設置され、前記第一引掛りブロック１７により前記昇降板１５に定位を行い、、前記第一容量拡大装置１０１の容量拡大の高さを制御し、前記第二容量拡大装置１０２は前記容量拡大ブロック１２の中の前後左右の四つの端に設置され、かつ上方に開口した反転チャンバ１８を含み、前記容量拡大板１３の下端には固定板１９が前記反転チャンバ１８に対応し設置され、前記固定板１９のうち中心から離れている一端と前記反転チャンバ１８の内壁との間には遮り布２０が固定的に連結される。
【００１３】
有益的には、前記第一容量拡大装置１０１は前記主体１１と前記容量拡大ブロック１２を含み、前記保存チャンバ１４の左右両側内壁の中にはガイドスライドチャンバ２１が対称的に連通設置され、前記引掛り溝１６が前記ガイドスライドチャンバ２１のうち中心から離れている側の内壁に連通設置され、また前記引掛り溝１６が五つあり、かつ上下に陳列で分布され、左右両側に位置する前記昇降板１５の下端には中心から離れている方向に開口した引掛りブロックチャンバ２２が設置され、前記引掛りブロックチャンバ２２の中には回転盤２３が回転できるように設置され、前記回転盤２３の下端には固定バー２４が固定的に連結され、前記第一引掛りブロック１７が前記固定バー２４の下端にヒンジにより連結され、前記引掛りブロックチャンバ２２の前後内壁には平行移動チャンバ２６が対称的に連通設置され、前記第一引掛りブロック１７の前後両端が前記平行移動チャンバ２６の中まで伸びており、かつ前記平行移動チャンバ２６の中で水平に移動でき、前記回転盤２３の前後両端と前記引掛りブロックチャンバ２２の内壁との間にはトーションばね３０が連結され、前記回転盤２３の上端には凹溝２７が設置され、前記引掛りブロックチャンバ２２の上壁にはプッシュブロックチャンバ２８が連通設置され、前記プッシュブロックチャンバ２８の中には下端が前記凹溝２７の中まで伸びているプッシュバー２９がスライドできるように設置され、前記容量拡大ブロック１２の下端面と前記昇降板１５のうち中心から離れている側の端面との間には前記主体１１の外端面とスライドできるように連結される遮り板３１が固定的に設置され、隣接の前記遮り板３１の間が固定的に連結される；前記第一引掛りブロック１７が必要となる高さの前記引掛り溝１６の中に引掛り、容量拡大の高さを制御する。
【００１４】
有益的には、前記第二容量拡大装置１０２は前記容量拡大板１３を含み、前記固定板１９が長方形で前記容量拡大ブロック１２の中まで伸びており、左右両側の前記反転チャンバ１８の中の下側には下端が歯状である回転バー３２が前後に対称的に、かつ反転できるように設置され、前記回転バー３２の下端が互いに近接し、かつ前記反転チャンバ１８の左右両側内壁に回転できるように連結され、前記固定板１９の中には第一滑りチャンバ３３が設置され、前記第一滑りチャンバ３３の下側には下方に開口した開口溝３４が連通設置され、前記第一滑りチャンバ３３の中には第一滑りブロック３５が前後に対称的に、かつスライドできるように設置され、前記第一滑りブロック３５の下端には連結棒３６が固定的に連結され、前記連結棒３６の下端が前記反転チャンバ１８の中まで伸びており、かつ前記回転バー３２の上端にヒンジにより連結され、前記容量拡大ブロック１２の中には保管チャンバ４５が上下に貫通し設置され、前記容量拡大板１３の中には入り口４６が上下に貫通し設置され、前記入り口４６の四つの壁には左方に開口したスライド板チャンバ４７が連通し設置され、前記入り口４６の中には前記スライド板チャンバ４７の中まで伸びている密封板４８がスライドできるように設置され、前記密封板４８の左端が外界まで伸びており、前記密封板４８の左端にはプッシュプル板４９が固定的に連結される；前記固定板１９を回転させ角度の定位を行い、前記容量拡大板１３を一定な高さに位置付けて容量拡大を行う。
【００１５】
有益的には、前記制御装置１０３は前記容量拡大ブロック１２の中に対称的に設置され、かつ開口が中心から離れている伸縮チャンバ３７を含み、前記伸縮チャンバ３７の中には昇降ブロック３８がスライドできるように設置され、前記昇降ブロック３８の下端と前記伸縮チャンバ３７の下壁との間には戻しばね５０が固定的に連結され、前記昇降ブロック３８の中には開口が中心から離れている第二滑りチャンバ３９が設置され、前記第二滑りチャンバ３９の中には第二滑りブロック４０がスライドできるように設置され、前記第二滑りブロック４０の一端が前記伸縮チャンバ３７の中まで伸びており、前記第二滑りブロック４０の一端には制御ブロック４１が固定的に連結され、前記第二滑りチャンバ３９の上下両側にはリミット溝４２が対称的に連通設置され、前記第二滑りブロック４０の上下両端には前記リミット溝４２の中まで伸びているリミットブロック４３が対称的で固定的に設置され、前記昇降ブロック３８の上端には上端が歯状である第二引掛りブロック４４が固定的に設置され、前記第二引掛りブロック４４の上端が前記反転チャンバ１８の中まで伸びており、かつ前記回転バー３２の下端と当接し、前記プッシュバー２９の上端が前記昇降ブロック３８に固定的に連結される；前記制御ブロック４１を前記伸縮チャンバ３７から送り出して下へ押すことにより調整作業を行うことができ、前記制御ブロック４１を前記伸縮チャンバ３７に回収することにより固定を行う。
【００１６】
初期状態に、容量拡大ブロック１２と容量拡大板１３とが下限界位置にあり、制御ブロック４１が伸縮チャンバ３７の中に位置する。
【００１７】
包装するとき、第一容量拡大装置１０１を使用するとき、制御ブロック４１を外界まで移し、かつ下限界位置まで押し、第二滑りブロック４０と昇降ブロック３８を連動し降りさせ、またプッシュバー２９と第二引掛りブロック４４とを連動し降りさせ、このときにプッシュバー２９の下端が回転盤２３をプッシュし回転させ、固定バー２４により第一引掛りブロック１７を連動し内部に移動させ、また引掛り溝１６から送り出し、このときに容量拡大ブロック１２を上に所望の高さまで持ち上げ、制御ブロック４１を放し、このときに第一引掛りブロック１７が対応の高さにある引掛り溝１６の中まで伸びて引掛られる；第二容量拡大装置１０２を使用するとき、制御ブロック４１を送り出した後、一定の距離に軽く押し、第二引掛りブロック４４を連動し下に移動させ、このときに第二引掛りブロック４４が回転バー３２から離脱され、このときに容量拡大板１３を上に引き固定板１９を上昇連動させ、第一滑りブロック３５と連結棒３６により回転バー３２を連動し上に反転させ、第一滑りブロック３５が内部にスライドし、かつ互いに近づき、遮り布２０がこの間に広げられて周りを密封し、容量拡大板１３が必要な高さまで上昇するとき、制御ブロック４１を緩め、第二引掛りブロック４４がリセットし回転バー３２の下端が引掛り、その回転を防止し、制御ブロック４１を伸縮チャンバ３７の中まで戻らせ、プッシュプル板４９を引き、密封板４８を開けるとものを保存できる。
【００１８】
本発明の有益的な効果は：本発明は構造が簡単で、操作が便利であり、本装置を通じて物を保存するとき、二種類の方式で容量を拡大でき、また二つの方式がいずれも容量拡大の高さを調整でき、容量を大幅に拡大するだけではなく、調整性が強く、より多くの使用ニーズを満たすことができる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
主体を含み、前記主体の上側には容量拡大ブロックが設置され、前記容量拡大ブロックの上側には容量拡大板が設置され、前記主体と前記容量拡大ブロックとの間には第一容量拡大装置が設置され、前記容量拡大ブロックと前記容量拡大板との間には第二容量拡大装置が設置され、前記容量拡大ブロックの中には制御装置が設置され、前記第一容量拡大装置は前記主体の中に設置される保存チャンバを含み、前記容量拡大ブロックの下端面の前後左右の四つの端には前記保存チャンバの中まで伸びている昇降板が固定的に設置され、隣接の前記保存チャンバの間が固定的に連結され、前記保存チャンバの左右両側内壁の中には引掛り溝が対称的に設置され、前記昇降板の下端には第一引掛りブロックが設置され、前記第一引掛りブロックにより前記昇降板に定位を行い、、前記第一容量拡大装置の容量拡大の高さを制御し、前記第二容量拡大装置は前記容量拡大ブロックの中の前後左右の四つの端に設置され、かつ上方に開口した反転チャンバを含み、前記容量拡大板の下端には固定板が前記反転チャンバに対応し設置され、前記固定板のうち中心から離れている一端と前記反転チャンバの内壁との間には遮り布が固定的に連結されることを特徴とする容量拡大パッケージ。
【請求項２】
前記第一容量拡大装置は前記主体と前記容量拡大ブロックを含み、前記保存チャンバの左右両側内壁の中にはガイドスライドチャンバが対称的に連通設置され、前記引掛り溝が前記ガイドスライドチャンバのうち中心から離れている側の内壁に連通設置され、また前記引掛り溝が五つあり、かつ上下に陳列で分布され、左右両側に位置する前記昇降板の下端には中心から離れている方向に開口した引掛りブロックチャンバが設置され、前記引掛りブロックチャンバの中には回転盤が回転できるように設置され、前記回転盤の下端には固定バーが固定的に連結され、前記第一引掛りブロックが前記固定バーの下端にヒンジにより連結され、前記引掛りブロックチャンバの前後内壁には平行移動チャンバが対称的に連通設置され、前記第一引掛りブロックの前後両端が前記平行移動チャンバの中まで伸びており、かつ前記平行移動チャンバの中で水平に移動でき、前記回転盤の前後両端と前記引掛りブロックチャンバの内壁との間にはトーションばねが連結され、前記回転盤の上端には凹溝が設置され、前記引掛りブロックチャンバの上壁にはプッシュブロックチャンバが連通設置され、前記プッシュブロックチャンバの中には下端が前記凹溝の中まで伸びているプッシュバーがスライドできるように設置され、前記容量拡大ブロックの下端面と前記昇降板のうち中心から離れている側の端面との間には前記主体の外端面とスライドできるように連結される遮り板が固定的に設置され、隣接の前記遮り板の間が固定的に連結される；前記第一引掛りブロックが必要となる高さの前記引掛り溝の中に引掛り、容量拡大の高さを制御することを特徴とする請求項１に記載の容量拡大パッケージ。
【請求項３】
前記第二容量拡大装置は前記容量拡大板を含み、前記固定板が長方形で前記容量拡大ブロックの中まで伸びており、左右両側の前記反転チャンバの中の下側には下端が歯状である回転バーが前後に対称的に、かつ反転できるように設置され、前記回転バーの下端が互いに近接し、かつ前記反転チャンバの左右両側内壁に回転できるように連結され、前記固定板の中には第一滑りチャンバが設置され、前記第一滑りチャンバの下側には下方に開口した開口溝が連通設置され、前記第一滑りチャンバの中には第一滑りブロックが前後に対称的に、かつスライドできるように設置され、前記第一滑りブロックの下端には連結棒が固定的に連結され、前記連結棒の下端が前記反転チャンバの中まで伸びており、かつ前記回転バーの上端にヒンジにより連結され、前記容量拡大ブロックの中には保管チャンバが上下に貫通し設置され、前記容量拡大板の中には入り口が上下に貫通し設置され、前記入り口の四つの壁には左方に開口したスライド板チャンバが連通し設置され、前記入り口の中には前記スライド板チャンバの中まで伸びている密封板がスライドできるように設置され、前記密封板の左端が外界まで伸びており、前記密封板の左端にはプッシュプル板が固定的に連結される；前記固定板を回転させ角度の定位を行い、前記容量拡大板を一定な高さに位置付けて容量拡大を行うことを特徴とする請求項２に記載の容量拡大パッケージ。
【請求項４】
前記制御装置は前記容量拡大ブロックの中に対称的に設置され、かつ開口が中心から離れている伸縮チャンバを含み、前記伸縮チャンバの中には昇降ブロックがスライドできるように設置され、前記昇降ブロックの下端と前記伸縮チャンバの下壁との間には戻しばねが固定的に連結され、前記昇降ブロックの中には開口が中心から離れている第二滑りチャンバが設置され、前記第二滑りチャンバの中には第二滑りブロックがスライドできるように設置され、前記第二滑りブロックの一端が前記伸縮チャンバの中まで伸びており、前記第二滑りブロックの一端には制御ブロックが固定的に連結され、前記第二滑りチャンバの上下両側にはリミット溝が対称的に連通設置され、前記第二滑りブロックの上下両端には前記リミット溝の中まで伸びているリミットブロックが対称的で固定的に設置され、前記昇降ブロックの上端には上端が歯状である第二引掛りブロックが固定的に設置され、前記第二引掛りブロックの上端が前記反転チャンバの中まで伸びており、かつ前記回転バーの下端と当接し、前記プッシュバーの上端が前記昇降ブロックに固定的に連結される；前記制御ブロックを前記伸縮チャンバから送り出して下へ押すことにより調整作業を行うことができ、前記制御ブロックを前記伸縮チャンバに回収することにより固定を行うことを特徴とする請求項３に記載の容量拡大パッケージ。